(57)【要約】      （修正有）【課題】使用に便利で挟持効果に優れた、表紙ボードの構造を提供する。【解決手段】表紙ボード本体１と、複数の折り曲げ部１１と、少なくとも一つの固定開口２と、少なくとも一つの挟持強化補助部品とからなる。表紙ボード本体１は、折り曲げ部１１によって区切られた第一表紙部・第二表紙部１３・第三表紙部１４を有する。固定開口２は、第一表紙部・第二表紙部１３・第三表紙部１４を跨ぐように延伸して設けられる。挟持強化補助部品上には、固定開口２から外部に露出した挟持部３１が少なくとも一つ区切られて設けられる。以上により、挟持部品が挟持部３１上に設けられた時、挟持力が挟持部３１によって挟持強化補助部品全体に均一に分散され、これにより、表紙ボード本体１内に設けられた被挟持物がしっかりと固定される。【選択図】図２
0003202749.tif 000002
【実用新案登録請求の範囲】
【請求項１】
表紙ボード本体と、複数の折り曲げ部と、少なくとも一つの固定開口と、少なくとも一つの挟持強化補助部品とからなる、表紙ボードの構造であって、
前記折り曲げ部は、前記表紙ボード本体が折り曲げ可能なように、前記表紙ボード本体一側に形成され、
前記表紙ボード本体は、前記折り曲げ部によって区切られた第一表紙部・第二表紙部・第三表紙部を有し、
前記第一表紙部・前記第二表紙部・前記第三表紙部は、順に緊密に隣接しており、
前記第二表紙部は、前記第一表紙部と前記第三表紙部の間に設けられ、
前記固定開口は、前記表紙ボード本体一側に形成されるとともに、前記第一表紙部・前記第二表紙部・前記第三表紙部を跨ぐように延伸して設けられ、
前記挟持強化補助部品は、前記表紙ボード本体の内面に結合されるとともに、前記挟持強化補助部品上には、前記固定開口から外部に露出した少なくとも一つの挟持部が区切られて設けられ、
前記挟持部は、挟持部品によって挟まれることを特徴とする、表紙ボードの構造。
【請求項２】
前記固定開口は、前記第一表紙部・前記第二表紙部・前記第三表紙部上において区切られることにより、それぞれ第一開口部・第二開口部・第三開口部を形成し、
前記挟持部は、前記第一開口部及び前記第三開口部を覆い隠すように設けられ、
前記挟持部品は、前記挟持部と接触し、
更に、前記挟持強化補助部品は、挟持力を均一に前記第一表紙部及び前記第三表紙部に提供し、且つ前記挟持部品が前記第二開口部から抜け落ちないようにするために設けられることを特徴とする、請求項１に記載の表紙ボードの構造。
【請求項３】
前記挟持部品は、Ｕ字型の挟み留め具であることを特徴とする、請求項１に記載の表紙ボードの構造。
【請求項４】
前記折り曲げ部は、前記第一表紙部と前記第三表紙部の面積が等しくなるように、前記表紙ボード本体における中央の位置に設けられることを特徴とする、請求項１に記載の表紙ボードの構造。
【請求項５】
前記第一表紙部は、前記折り曲げ部に近く且つ適切な距離をおいた位置に、前記第一表紙部を折り曲げやすくするための第一表紙補助折り部が形成されることを特徴とする、請求項１に記載の表紙ボードの構造。
【請求項６】
前記第三表紙部は、前記折り曲げ部に近く且つ適切な距離をおいた位置に、前記第三表紙部を折り曲げやすくするための第三表紙補助折り部が形成されることを特徴とする、請求項１に記載の表紙ボードの構造。
【請求項７】
前記挟持強化補助部品には、それぞれ結合補助部が延伸して形成され、
前記結合補助部は、前記第一表紙部及び前記第三表紙部の内側面と対応して結合されることを特徴とする、請求項１に記載の表紙ボードの構造。
【請求項８】
前記表紙ボード本体内には、紙・クリアファイル・書類ホルダーの中のいずれか一つが選択的に設けられて結合されることを特徴とする、請求項１に記載の表紙ボードの構造。
【考案の詳細な説明】
【技術分野】
【０００１】
本考案は、使用に便利で、且つ挟持効果に優れた、表紙ボードの構造に関する。
【背景技術】
【０００２】
一般的な企業や学術組織において、プリントアウトされた紙は、通常、片面印刷であることが多く、一面は印刷されており、もう一面は真っ白なままである。よって、環境保護と資源節約のために、これらの片面だけに印刷された紙を集めるとともに、何らかの固定方法を用いてこれらの紙を固定して、ノートやメモ帳として使用することがある。
【０００３】
上述の方法は、善意によるものの、使用上においては使い勝手の悪さや欠点がある。主な問題点を以下に挙げる。
１、最上面、及び最下面の紙が真っ先に破損したり汚れたりしてしまう。
２、ダブルクリップで固定した時、ダブルクリップが一定の厚さを生じるため、紙の束全体を完全に平らな状態にして置くことが出来ない（ダブルクリップに近い位置でより目立つ）。
３、挟む方法を用いた場合、挟持力が紙の減少につれて弱まっていく。ホチキスで固定する方法を用いた場合には、上述の問題は改善されるものの、紙が破損してしまう。更に、時間の経過に伴ってホチキスの針の穴が徐々に拡大して、紙の位置がずれてしまう。
４、ダブルクリップで固定する場合、紙や被挟持物の上に挟み跡が付いてしまう。
【考案の概要】
【考案が解決しようとする課題】
【０００４】
上記の問題に鑑み、本考案は、挟持部が挟持強化補助部品と連動するとともに、表紙ボード本体全体と連動することにより、被挟持物がしっかりと保護され、且つ望ましい固定効果が得られ、以上の技術により、従来において直接ダブルクリップやホチキスを使用することによって生じていた紙の破損・固定効果の不足・紙の押し跡といった問題点を解消し、使用上の利便性向上と良好な挟持効果という実用進歩性を達成することが可能な、表紙ボードの構造を提供することを目的とする。
【課題を解決するための手段】
【０００５】
上述の目的を達成するために、本考案は、表紙ボード本体と、複数の折り曲げ部と、少なくとも一つの固定開口と、少なくとも一つの挟持強化補助部品とからなる。このうち、表紙ボード本体は、折り曲げ部によって区切られた第一表紙部・第二表紙部・第三表紙部を有する。第一表紙部・第二表紙部・第三表紙部は、順に緊密に隣接している。第二表紙部は、第一表紙部と第三表紙部の間に設けられる。また、固定開口は、第一表紙部・第二表紙部・第三表紙部を跨ぐように延伸して設けられる。挟持強化補助部品上には、少なくとも一つの挟持部が区切られて設けられる。
【考案の効果】
【０００６】
上述の構造により、使用者は、被挟持物を表紙ボード本体内に置くとともに、表紙ボード本体を折り曲げて蓋をすることにより、第一表紙部と第三表紙部によって被挟持物の両面を保護することが出来る。また、挟持部品は、固定開口の位置から挟持部を挟んで、挟持強化補助部品と連動することにより、全体的な挟持効果が得られるとともに、過度の挟持によって紙に押し跡が生じることを効果的に防止出来る。更に、被挟持物を入れ替えたり補充したりする時、挟持部品を緩めて開くだけで作業可能である。以上のように、使用に便利で、良好な挟持効果を備えるという目的が達成される。
【図面の簡単な説明】
【０００７】
【図１】本考案を示した斜視図である。
【図２】本考案を別の角度から示した斜視図である。
【図３】本考案の使用状態を示した概略図（一）である。
【図４】本考案の使用状態を示した概略図（二）である。
【図５】本考案の実施例２を示した斜視図である。
【図６】本考案の実施例２の使用状態を示した概略図である。
【図７】本考案の実施例３を示した斜視図である。
【図８】本考案の実施例３の使用状態を示した概略図である。
【考案を実施するための形態】
【０００８】
（実施例１）
図１から図４までを参照する。本考案は、表紙ボード本体１と、複数の折り曲げ部１１と、少なくとも一つの固定開口２と、少なくとも一つの挟持強化補助部品３とからなる。
【０００９】
複数の折り曲げ部１１は、表紙ボード本体１が折り曲げ可能なように、表紙ボード本体１一側に形成される。表紙ボード本体１は、折り曲げ部１１によって区切られた第一表紙部１２・第二表紙部１３・第三表紙部１４を有する。第一表紙部１２・第二表紙部１３・第三表紙部１４は、順に緊密に隣接しており、第二表紙部１３は第一表紙部１２と第三表紙部１４の間に設けられる。
【００１０】
少なくとも一つの固定開口２は、表紙ボード本体１一側に形成されるとともに、第一表紙部１２・第二表紙部１３・第三表紙部１４を跨ぐように延伸して設けられる。
【００１１】
少なくとも一つの挟持強化補助部品３は、表紙ボード本体１内面に結合されるとともに、挟持強化補助部品３上には、固定開口２から外部に露出した少なくとも一つの挟持部３１が区切られて設けられる。また、挟持部３１は、挟持部品４によって挟持される。
【００１２】
上述した固定開口２は、第一表紙部１２・第二表紙部１３・第三表紙部１４上において区切られて、それぞれ第一開口部２１・第二開口部２２・第三開口部２３を形成する。また、挟持部３１は、第一開口部２１及び第三開口部２３を覆い隠す。挟持部品４は、挟持部３１と接触する。更に、挟持強化補助部品３によって、挟持力が均一に第一表紙部１２及び第三表紙部１４に提供されるとともに、挟持部品４が第二開口部２２から抜け落ちることが防止される。
【００１３】
上述した挟持部品４は、Ｕ字型の挟み留め具である。また、折り曲げ部１１は、表紙ボード本体１における中央の位置に設けられ、これにより、第一表紙部１２と第三表紙部１４の面積が等しくなる。
【００１４】
上述した第一表紙部１２は、折り曲げ部１１に近く且つ適切な距離をおいた位置に、第一表紙部１２を折り曲げやすくするための第一表紙補助折り部１２１が形成される。また、第三表紙部１４は、折り曲げ部１１に近く且つ適切な距離をおいた位置に、第三表紙部１４を折り曲げやすくするための第三表紙補助折り部１４１が設けられる。
【００１５】
上述した内容は、本考案の主な構造であり、更に以下の説明を合わせて参照することにより、本考案の技術上の改善点を理解する手助けとしたい。
【００１６】
図１、図２を参照する。図は、本考案の全体構造を示している。本考案は、一つの表紙ボード本体１が主な本体として設けられるとともに、製作時において二つの折り曲げ部１１が形成される。これにより、表紙ボード本体１がスムーズに折り曲げられる。また、第一表紙部１２と第三表紙部１４は、被挟持物の表裏両面を保護し、第二表紙部１３は、被挟持物の側辺を保護する。実施例１では、一つの固定開口２が設けられており、固定開口２の第一開口部２１及び第三開口部２３は、いずれも挟持強化補助部品３によって覆い隠されている。挟持部３１の一部分は、固定開口２の部分において外部に露出している。以上の構造により、被挟持物がしっかりと保護・固定される。
【００１７】
図３、図４を参照する。被挟持物を固定する時には、まず表紙ボード本体１を完全に開くとともに、被挟持物をしっかりと置いたことを確認した後、表紙ボード本体１を閉じて、被挟持物の側辺を第二表紙部１３の内側面にぴったりと当接させる。更に、挟持部品４によって固定開口２の部分を挟んで固定することで、挟持部品４両辺の挟み留め部分が挟持部３１をしっかり圧迫する。この状態において、挟持部品４の挟持力は、挟持強化補助部品３全体に分散される。また更に、第一表紙部１２及び第三表紙部１４によるカバー効果を向上させることが出来る。このうち、表紙ボード本体１は、所定の厚さを備えているため、挟持部品４がしっかりと内側に隠される。これにより、表紙ボード本体１を平らに置いた時でも、挟持部品４の影響を受けることはない。使用する時には、まず、第一表紙部１２或は第三表紙部１４を捲り開ける。第一表紙部１２或は第三表紙部１４を捲り開けた時、第一表紙補助折り部１２１或は第三表紙補助折り部１４１が捲り開けられる。以上の構造により、第一表紙部１２及び第三表紙部１４を捲った時に生じた力で挟持部品４の位置がずれてしまうことを防止出来る。また、上述した挟持構造において、第一開口部２１・第二開口部２２・第三開口部２３が選択的に覆い隠される構造により（挟持強化補助部品３及び挟持部３１）、望ましい固定効果が得られるだけでなく、被挟持物に力が加わって押し跡が生じることを防止出来る。また同時に、挟持部品４が第二開口部２２から抜け落ちることを防止出来る。以上により、使用に便利で良好な挟持効果を備えるという長所が達成される。
【００１８】
（実施例２）
図５、図６を参照する。実施例２の主な構造は、いずれも上述した内容と同様である。比較的大きな違いについては、以下で述べる。
【００１９】
一つ一つの挟持強化補助部品３ａには、それぞれ結合補助部３２ａが延伸して形成される。結合補助部３２ａは、第一表紙部１２ａ及び第三表紙部１４ａの内側面と対応して結合される。
【００２０】
このほか、被挟持物がクリアファイルであるため、これに対応するために、固定開口２ａは二つ設けられる。これ以外の構造は、いずれも上述した内容と同様である。使用についても上述と同じく、まず、被挟持物を表紙ボード本体１ａ内に置いてから、同様に挟持部品４ａによって固定する。また、実施例２においては、結合補助部３２ａが設けられているため、構造全体の強度が更に向上され、且つ挟持力が更に均一に分散される。加えて、被挟持物がクリアファイルであるため、収納する物品（例えば、写真）を被挟持物（クリアファイル）内に入れることが出来る。これにより、更に多様な使用形態や使用方法が可能となり、使用上の利便性と簡便性が向上される。
【００２１】
（実施例３）
図７、図８を参照する。実施例３の主な構造は、いずれも上述の内容と同様である。比較的大きな違いは、被挟持物が書類ホルダーとなる点であり、これに対応するため、固定開口２ｂは、三つ設けられる。これ以外の構造は、いずれも上述した内容と同様である。上述と同じく、被挟持物がより長くなっているため、表紙ボード本体１ｂもこれに対応して長くする必要がある。表紙ボード本体１ｂがより長くなれば、十分な挟持力を維持するために、固定開口２ｂの数を増やす必要が生じる。実施例３から分かるように、表紙ボード本体１ｂが長くなればなるほど、必要な固定開口２ｂの数も多くなる。その目的は、挟持する力（挟持強化補助部品３ｂによって均一に分散される）を維持するためである。そのほかの部分は、いずれも上述した内容と同様であるため、重複して述べることはしない。
【符号の説明】
【００２２】
１表紙ボード本体
１ａ表紙ボード本体
１ｂ表紙ボード本体
１１折り曲げ部
１２第一表紙部
１２ａ第一表紙部
１２１第一表紙補助折り部
１３第二表紙部
１４第三表紙部
１４ａ第三表紙部
１４１第三表紙補助折り部
２固定開口
２ａ固定開口
２ｂ固定開口
２１第一開口部
２２第二開口部
２３第三開口部
３挟持強化補助部品
３ａ挟持強化補助部品
３ｂ挟持強化補助部品
３１挟持部
３２ａ結合補助部
４挟持部品
４ａ挟持部品
【図１】
0003202749.tif 000003
【図２】
0003202749.tif 000004
【図３】
0003202749.tif 000005
【図４】
0003202749.tif 000006
【図５】
0003202749.tif 000007
【図６】
0003202749.tif 000008
【図７】
0003202749.tif 000009
【図８】
0003202749.tif 000010